(57)【特許請求の範囲】
【請求項１】
布地を保持する刺繍枠と、
この刺繍枠より大きい範囲を表示単位として刺繍する模様を表示可能な表示部と、
この表示部に表示された複数の模様を組み合わせてつなぎ刺繍を編集する編集手段と、
この編集手段により編集された組み合わせ模様によるつなぎ刺繍を前記刺繍枠により保持された布地に縫製する縫製手段と、
を備える刺繍縫いミシンであって、
前記編集手段は、前記表示部に表示される範囲での所定の点を基準点として、この基準点を縦横方向に移動させて、前記表示部の表示を表示単位で１格子分移動する窓移動キーと、前記表示部の表示状態で選択した模様の位置の編集を行う位置キーと、を備えた拡張機能を具備し、
前記縫製手段は、前記編集手段により編集された前記拡張機能による前記表示部より大きい範囲で編集されたつなぎ刺繍の縫製を継続するために、前記表示部の表示を表示単位で１格子分移動表示して縫製する位置を選択する窓移動キーと、前記表示部の表示状態において前記刺繍枠を移動して縫製する模様を指定する枠移動キーと、を備えた継続機能を具備していること、を特徴とする刺繍縫いミシン。
【請求項２】
前記表示部には、前記刺繍枠に対応する縫製可能範囲枠が表示されており、
この縫製可能範囲枠の前記基準点の移動に基づく移動位置を記憶する縫製可能範囲枠位置記憶手段を備えること、
を特徴とする請求項１記載の刺繍縫いミシン。
【発明の詳細な説明】
【０００１】
【発明の属する技術分野】
本発明は、エンドレスのつなぎ刺繍の縫製が可能な家庭用の刺繍縫いミシンに関するものである。
【０００２】
【従来の技術】
家庭用の刺繍縫いミシンにおいて、布地を保持する刺繍枠の大きさよりも大きな模様を数回に分けて縫製する、いわゆる「つなぎ刺繍」が行われている。
このつなぎ刺繍の縫製に先立っては、刺繍枠の４倍（縦横ともに２倍）の大きさの編集エリアを設定し、この編集エリア内に他のメモリ（内蔵メモリあるいは外部メモリ）から読み出した模様を任意の位置にレイアウトする作業を繰り返し、複数の模様を組み合わせて大きな模様を構成して編集する。
このような編集を終えて実際に刺繍をする場合には、刺繍枠にセットされた布の基準位置をＣＰＵに予め記憶させておくことにより、刺繍枠内に含まれる縫製可能な模様を刺繍している。次に、刺繍枠から布を外し、位置を変えて布を刺繍枠に再びセットすることを複数回順次繰り返していくことにより、組み合わせた全ての模様を刺繍することができ、その結果として大きな模様によるつなぎ刺繍を縫製できる。
【０００３】
以上のように、刺繍枠の４倍（縦横ともに２倍）の大きさの編集エリア内に複数の模様をレイアウトした大きな模様によるつなぎ刺繍を、ミシン内部に設けられた保存機能を利用して内部に保存し、その保存データを読み出してつなぎ刺繍を縫製することもできる。
そして、従来は、刺繍枠の４倍（縦横ともに２倍）の大きさの編集エリア内の大きさのつなぎ刺繍であれば縫製可能であるが、その編集エリアに隣接する編集エリアとの模様を繋げる場合には、目測に頼って行っていた。
【０００４】
【発明が解決しようとする課題】
以上の通り、従来は、つなぎ刺繍の縫製において、編集エリアに隣接する編集エリアとの模様を繋げる場合には、目測に頼るしかないものとなっていた。
【０００５】
ところで、図１は複数の模様を組み合わせて大きな模様を作ったつなぎ刺繍の編集例を示したもので、１つの格子が刺繍枠の大きさに対応しており、その格子の４倍（縦横ともに２倍）の大きさが編集エリアとなる。
この図１の編集例において、例えば、原点（Ｘ0，Ｙ0）から座標（Ｘ2，Ｙ2）までの１つの編集エリアについてみると、従来のつなぎ刺繍では、模様「Ａ」，「Ｄ」については、一部がはみ出して編集エリア外となって、表示できなくなり、従って、縫製できないものとなっていた。
【０００６】
このように、刺繍枠の４倍の大きさの編集エリアの「つなぎ刺繍」を１つの「つなぎ模様」と考えると、従来は、そのような刺繍枠の４倍の大きさの「つなぎ模様」と「つなぎ模様」を綺麗に繋ぐことができないものとなっていた。
つまり、具体的な例として従来は、エンドレスの連続模様を綺麗に正しく繋ぐことができなかった。
【０００７】
そこで、本発明の目的は、エンドレスのつなぎ刺繍の縫製を可能とした家庭用の刺繍縫いミシンを提供することにある。
【０００８】
【課題を解決するための手段】
以上の課題を解決すべく請求項１記載の発明は、布地を保持する刺繍枠と、この刺繍枠より大きい範囲を表示単位として刺繍する模様を表示可能な表示部と、この表示部に表示された複数の模様を組み合わせてつなぎ刺繍を編集する編集手段と、この編集手段により編集された組み合わせ模様によるつなぎ刺繍を前記刺繍枠により保持された布地に縫製する縫製手段と、を備える刺繍縫いミシンであって、前記編集手段は、前記表示部に表示される範囲での所定の点を基準点として、この基準点を縦横方向に移動させて、前記表示部の表示を表示単位で１格子分移動する窓移動キーと、前記表示部の表示状態で選択した模様の位置の編集を行う位置キーと、を備えた拡張機能を具備し、前記縫製手段は、前記編集手段により編集された前記拡張機能による前記表示部より大きい範囲で編集されたつなぎ刺繍の縫製を継続するために、前記表示部の表示を表示単位で１格子分移動表示して縫製する位置を選択する窓移動キーと、前記表示部の表示状態において前記刺繍枠を移動して縫製する模様を指定する枠移動キーと、を備えた継続機能を具備している構成、を特徴としている。
【０００９】
ここで、刺繍枠は、例えば、縦横２４ｃｍ×１３ｃｍの大きさのものである。
表示部には、刺繍枠の縦横２倍で計４倍、例えば、縦横４８ｃｍ×２６ｃｍの大きさの編集エリアが表示される。
編集手段は、模様の選択が可能で、さらに、その選択した模様の位置や回転角度が設定可能である。その編集されたつなぎ模様は、内部メモリや外部メモリ等の記憶手段に格納可能である。
縫製手段は、上糸を通す縫い針の針駆動機構と、下糸を巻いたボビンケースを収納する釜駆動機構と、刺繍枠のＸーＹ駆動機構から構成され、制御手段により制御される。
【００１０】
以上のように、請求項１記載の発明によれば、つなぎ刺繍の編集手段が、刺繍枠より大きい範囲を表示単位として刺繍模様を表示する表示部の表示範囲での基準点を縦横方向に移動させて、表示部の表示を表示単位で１格子分移動する窓移動キーと、表示部の表示状態で選択した模様の位置の編集を行う位置キーと、を備えた拡張機能を具備した刺繍縫いミシンなので、表示部より大きい範囲での拡張されたつなぎ刺繍をその部分的表示を行いながら編集できる。さらに、つなぎ刺繍の縫製手段が、編集手段により編集された拡張機能による表示部より大きい範囲で編集されたつなぎ刺繍の縫製を継続するために、表示部の表示を表示単位で１格子分移動表示して縫製する位置を選択する窓移動キーと、表示部の表示状態において刺繍枠を移動して縫製する模様を指定する枠移動キーと、を備えた継続機能を具備した刺繍縫いミシンなので、表示部より大きい範囲で拡張して編集されたつなぎ刺繍を継続して縫製できる。
【００１１】
そして、請求項２記載の発明は、
請求項１記載の刺繍縫いミシンであって、
前記表示部には、前記刺繍枠に対応する縫製可能範囲枠が表示されており、
この縫製可能範囲枠の前記基準点の移動に基づく移動位置を記憶する縫製可能範囲枠位置記憶手段を備える構成、
を特徴としている。
例えば、縫製可能範囲枠位置記憶手段は、内部メモリの一部である。
【００１２】
このように、請求項２記載の発明によれば、刺繍枠に対応して表示部に表示された縫製可能範囲枠の請求項１記載の基準点の移動に基づく移動位置を記憶する縫製可能範囲枠位置記憶手段を備える刺繍縫いミシンなので、編集並びに縫製の際において、縫製可能範囲枠位置記憶手段に記憶した移動位置を読み出してその縫製可能範囲枠を表示部に表示できる。
【００１３】
【発明の実施の形態】
以下に、本発明に係る刺繍縫いミシンの実施の形態例を図１から図３７に基づいて説明する。
先ず、図１は本発明を適用した一例としての複数の模様を組み合わせて大きな模様を作ったつなぎ刺繍の編集例を格子状に表した座標系とともに示す平面図で、図２から図１９には作業に応じた各表示例を示している。
また、図２０及び図２１は「つなぎ刺繍の編集から縫製」までの処理を示したゼネラルフローチャートで、図２２は図２０のゼネラルフローにおける▲１▼の処理を示したフローチャートである。
【００１４】
そして、図２３は図２０のゼネラルフローにおける「つなぎ刺繍範囲設定（編集）」（ステップＳ６）のサブルーチン処理を示したフローチャートで、図２４から図２９は図２３のフローの▲３▼，▲４▼，▲５▼，▲６▼，▲７▼，▲８▼の各処理を示したフローチャートである。
さらに、図３０及び図３１は図２１のゼネラルフローにおける「つなぎ刺繍範囲設定（縫製）」（ステップＳ１１）のサブルーチン処理を示したフローチャートで、図３２から図３６は図３０のフローの▲２▼，▲３▼，▲４▼，▲７▼，▲８▼の各処理を示したフローチャートである。
なお、図３７は本発明が適用される刺繍縫いミシンの一例を示した概略斜視図で、図中、１００は刺繍縫いミシン、１０１はミシンベッド、１０２はミシン胴部、１０３はミシンアーム、１０４は起動スイッチ、１０５はディスプレイ、１０６は補助ベッド、１０７はキャリッジ、１０８は刺繍枠である。
この刺繍縫いミシン１００は、図示のように、ミシンアーム１０３に起動スイッチ１０４が設けられて、ミシン胴部１０２にディスプレイ１０５が設けられており、このディスプレイ１０５には、後述する表示画面及び各キーが表示される。また、ミシンベッド１０１に補助ベッド１０６が着脱可能に備えられており、この補助ベッド１０６上には、図示左右方向（矢印Ｘ方向）及び図示前後方向（矢印Ｙ方向）に移動可能なキャリッジ１０７が備えられている。このキャリッジ１０７には、布を保持する刺繍枠１０８が着脱可能に備えられている。
【００１５】
始めに、図１はエンドレス模様のつなぎ刺繍編集例を示したもので、格子状に表した座標系について、縦横２４ｃｍ×１３ｃｍの大型の刺繍枠に対応して、縦方向のＸ軸の升目が２４ｃｍで、横方向のＹ軸の升目が１３ｃｍとなっていて、この縦横２４ｃｍ×１３ｃｍの格子が刺繍枠の大きさに対応している。
そして、このような刺繍枠の大きさに対応した格子の縦横２倍で計４倍、即ち、縦横４８ｃｍ×２６ｃｍの大きさが、図２から図１９に示した表示部の編集エリアに対応している。
ところで、図１の編集例においては、縦方向のＸ軸の右側に沿って多数の模様が断続的に形成されるとともに、横方向のＹ軸の上側に沿って多数の模様が断続的に形成されており、さらに、Ｙ4の右側に沿って多数の模様が断続的に形成されている。
ここで、Ｘ2を越えた部分からＸ1の上方までの模様を「Ａ」、この模様「Ａ」と若干離れてＸ1を越えた部分からＸ0の上方までの模様を「Ｂ」、この模様「Ｂ」と若干離れてからＹ1を越えた部分までの模様を「Ｃ」、この模様「Ｃ」と若干離れてからＹ2を越えた部分までの模様を「Ｄ」、この模様「Ｄ」と若干離れてからＹ3を越えた部分までの模様を「Ｅ」、この模様「Ｅ」と若干離れてからＹ4を越えた部分までの模様を「Ｆ」、この模様「Ｆ」と若干離れてからＸ1を越えた部分までの模様を「Ｇ」、この模様「Ｇ」と若干離れてＸ2，を越えた部分までの模様を「Ｈ」と呼ぶ。
なお、図示のように、模様「Ａ」の上方に、複数の模様が断続的に形成されていて、模様「Ｈ」の上方にも、複数の模様が断続的に形成されている。
【００１６】
次に、図２は図示しない刺繍縫いミシン本体上に備えられる表示部の「つなぎ刺繍範囲設定（編集）」前における窓位置（Ｘ1，Ｙ1）に基づく表示例を示したもので、この表示画面１は図示しない大型の刺繍枠（「刺繍枠」表示１１参照）の大きさの縦横４倍の大きさである。以下では、この表示部の表示画面１の表示単位の大きさ、即ち、刺繍枠の縦横４倍の大きさを「つなぎ刺繍」の大きさと呼び、この大きさと同じサイズを「窓（ウインド）」と呼ぶ。また、１回のつなぎ刺繍の単位は、刺繍枠の４倍の大きさ単位とする。つまり、「つなぎ刺繍の大きさ」単位とする。このようなつなぎ模様の大きさで編集と縫製を繰り返すことにより、図１に示したような大きな模様を刺繍することができるようになる。
【００１７】
ところで、従来は、編集エリアがウインドの範囲に限られていたので、模様の位置の設定は、図２の表示画面１において、直ぐにタッチキー（以下、同じ）による「編集」キー２を選んで設定していた。しかし、本発明では、編集範囲を限定しないので、選択した模様をどの位置に配置するか、大まかな位置を決めなければならないため、図２に示したように、「確認」キー３、「つなぎ組み合せ」キー４、「戻る」キー５、「つなぎおわり」キー６、「オールクリア」キー７の他に、「窓（ウインド）移動」キー８と「窓位置」表示９を新たに設けている。なお、表示画面１での「刺繍枠」表示１１が縦横２４ｃｍ×１３ｃｍの大型枠であることを表す「大型枠サイズです。」表示１２と「オフセット」キー１３も新たに設けている。ここで、「窓（ウインド）移動」キー８を構成する上下左右４個の各アローキー８ｕ，８ｄ，８ｌ，８ｒの機能は、広大な編集範囲を「ウインド」の表示単位で処理するためのもので、「ウインド」の位置を変更する。これら各アローキー８ｕ，８ｄ，８ｌ，８ｒで囲まれた中心のキー８ｃを押すと、「ウインド」が中心に戻る。また、「窓位置」表示９は、「ウインド」の中央になる基準線の交点（基準点）の位置を表示するもので、その交点を作る線の名前も併せて表示する。即ち、図１に示したように、縦軸には、Ｘ0からＸ4までの名前が付けられ、また、横軸には、Ｙ0からＹ4までの名前が付けられており、このような縦横の名前がその交点である座標とともに「窓位置」に表示される。
【００１８】
図３は窓位置（Ｘ1，Ｙ1）での模様の表示例を示しており、即ち、表示画面１には、模様「Ａ」，「Ｂ」，「Ｃ」，「Ｄ」が表示されている。
図４は窓位置（Ｘ2，Ｙ1）での模様の表示例を示しており、即ち、表示画面１には、模様「Ａ」とその上方の模様が表示されている。
図５は窓位置（Ｘ1，Ｙ2）での模様の表示例を示しており、即ち、表示画面１には、模様「Ｄ」，「Ｅ」が表示されている。
図６は窓位置（Ｘ1，Ｙ3）での模様の表示例を示しており、即ち、表示画面１には、模様「Ｅ」，「Ｆ」が表示されている。
図７は窓位置（Ｘ1，Ｙ4）での模様の表示例を示しており、即ち、表示画面１には、模様「Ｆ」，「Ｇ」，「Ｈ」が表示されている。
このように、図３から図７は、図１のエンドレス模様をレイアウトした後の各部を示している。
【００１９】
なお、模様の選択については、図１８に示すように、内部メモリや外部メモリ（メモリカード）から読み出した多数の「模様」キー２１，２２，２３，２４，２５，２６，２７，２８，２９から選択して、「色確認」キー３１、「色がえ」キー３２を必要に応じ選択した後、「選択おわり」キー３３を押して選択を終了する。この「選択おわり」キー３３を押すと、図２の表示に切り替わる。
そして、選択した模様を編集する場合は、図２の表示状態で「編集」キー２を押して図１６の表示に切り替える。
即ち、選択した模様の編集は、図１６に示すように、「位置／回転」キー４１、「サイズ／文字間」キー４２、「ズーム」キー４３、「もよう指定」キー４４、「消去」キー４５、「ぬいはんい」キー４６を必要に応じ押して、所望する編集を完了すると、「編集おわり」キー４７を押す。この「編集おわり」キー４７を押すと、図２の表示に切り替わる。
ここで、「ぬいはんい」キー４６を押すと、刺繍枠が移動して縫う位置を確認できる。
【００２０】
また、図１６の表示状態で「位置／回転」キー４１を選択すると、図１７の表示に切り替わる。
即ち、位置と回転の編集は、図１７に示すように、「位置」キー５１、「回転方向」キー５２、「回転角度」キー５３を必要に応じ操作する。
なお、「回転角度」キー５３の隣には「回転角度」表示５４が設けられ、その下方には「変更おわり」キー５５が設けられている。
ここで、「位置」キー５１は、上下左右８個の各アローキー５１ｕ，５１ｄ，５１ｌ，５１ｒ，５１ｕｌ，５１ｕｒ，５１ｄｌ，５１ｄｒで構成されており、これら各アローキー５１ｕ，５１ｄ，５１ｌ，５１ｒ，５１ｕｌ，５１ｕｒ，５１ｄｌ，５１ｄｒで囲まれた中心のキー５１ｃを押すと、縫う位置が刺繍の縫う範囲の中心に戻る。
また、「回転方向」キー５２は、左回転キー５２ｌと右回転キー５２ｒとから構成されている。
さらに、「回転角度」キー５３は、５度ずつ回転キー５３ａと９０度ずつ回転キー５３ｂとから構成されており、その回転させた合計の回転角度が「回転角度」表示５４に表示される。
そして、位置や回転角度が確定したら、「変更おわり」キー５５を押す。この「変更おわり」キー５５を押すと、元の画面（図１６参照）に戻る。
【００２１】
以上によるつなぎ刺繍の編集は、刺繍縫いミシン本体に内蔵されたＣＰＵの一部による編集手段によって行われ、即ち、この編集手段は、従来に比べて拡大したつなぎ模様の編集が行える拡張機能を具備している。
【００２２】
ところで、編集エリアの拡大は、原則的に無制限である。それは、模様の位置情報を絶対位置で記憶することにより、模様の相対位置が確保できるからである。現実には、位置の分解能（０．１ｍｍ）と絶対位置を記憶するメモリを何バイトにするかにより制限が出る。例えば、位置情報を０．１ｍｍ単位で表現して、２バイトで位置情報を表現する場合には、約６．５ｍ四方の範囲で表現できる。
なお、このような制限の近くで、模様を繋ぐ必要が出てくることもあり、このような場合、または、次のような場合は、以下のように処理する。
例えば、１ｍ長さの「つなぎ刺繍」を刺繍する時に、例えば、左から右に順序良く刺繍する時を考えれば、仮に、模様を追加して刺繍することを繰り返して最後まで縫うことを想定すると、何回か刺繍して５０ｃｍ程度刺繍が終わった時、編集モードに入って、編集エリアを何回かスライドさせて模様を追加し、既に刺繍の終わった模様を消去する必要がある。
【００２３】
次に、以上の編集が終わって、縫製に入る前の「刺繍枠による縫い範囲」の設定について説明する。
即ち、編集が終わって、縫製に入る前には、図１９に示すように、「窓移動」キー８を使用して、縫製する位置を選択する必要がある。
なお、図１９の表示では、編集に関するキーは省略されている。
この図１９の表示状態で、ウインドの位置を決めた後、「刺繍枠による縫い範囲」の設定を行う。
【００２４】
先ず、図８は「刺繍枠による縫い範囲」の設定の仕方を示すもので、新たに、「枠移動」キー６１、その下方の「刺繍枠を動かしてぬうもようを指定します。」表示６２、「指定おわり」キー６２が設けられており、図示のように、模様「Ｂ」を指定している。
「枠移動」キー６１は、上下左右８個の各アローキー６１ｕ，６１ｄ，６１ｌ，６１ｒ，６１ｕｌ，６１ｕｒ，６１ｄｌ，６１ｄｒで構成されており、これら各アローキー６１ｕ，６１ｄ，６１ｌ，６１ｒ，６１ｕｌ，６１ｕｒ，６１ｄｌ，６１ｄｒで囲まれた中心のキー６１ｃを押すと、縫う位置が刺繍の縫う範囲の中心に戻る。
また、図９は図８とは異なる枠と基準線の位置表示例であり、図示のように、模様「Ｃ」を指定している。
そして、図１０は全て縫い終わったメッセージ表示例であり、「すべてのもようをぬいおわりました。」表示７１、「メニューに戻ります。」表示７２、「もう一度ぬう」キー７３、「ＯＫ」キー７４が設けられている。
【００２５】
また、図１１は枠サイズによる縫製範囲設定の表示例であり、図示のように、模様「Ｅ」を指定している。
図１２は図１１とは異なる縫製範囲設定の表示例であり、図示のように、模様「Ｆ」を指定している。
図１３は図１１及び図１２とは異なる縫製範囲設定の表示例であり、図示のように、模様「Ｇ」を指定している。
図１４は枠サイズによる縫製範囲設定前の表示例である。
そして、図１５は縫製中の表示例であり、「ぬい時間」表示８１と、「のこり時間」表示８２と、「たて×よこ」表示８３と、「刺しゅう枠サイズ」表示８４と、「ぬい指定」キー８５と、「ヘルプ」キー８６が設けられている。
【００２６】
以上において、縫製に際しては、刺繍を行う布に、直交する基準線を縦横に複数書き込む。その基準線の平行する間隔は、使用する刺繍枠の縫製可能範囲にほぼ等しく（等しいか、それより小さい）等間隔である。
こうして布の上に引かれた縦横の基準線で作られた升目の中に模様をレイアウトすることになる。その升目４個分が、１回のつなぎ刺繍模様となる。
なお、基準線は、刺繍枠の大きさに左右されずに任意の寸法で可能であるが、１回のつなぎ刺繍の範囲は、使用する刺繍枠の４倍の大きさでなければならない。これは、縫い範囲を設定した時に少なくともＸ軸とＹ軸が各１本以上含まれていないと、基準線の指定ができなくなるからである。
【００２７】
以上によるつなぎ刺繍の縫製は、刺繍縫いミシン本体に内蔵されたＣＰＵの一部による縫製手段によって行われ、即ち、この縫製手段は、従来に比べて拡大したつなぎ模様の縫製が行える継続機能を具備している。
【００２８】
ところで、前記「オフセット」キー１３の機能について説明する。
前述したように、編集あるいは縫製は、「ウインド」単位で行っている。
その場合、模様選択して編集作業に入る時、毎回「ウインド」に移動を行うのは、操作性が悪い。
そこで、編集／縫製を行う時に、作業中の窓の位置を記憶しておけば、毎回「ウインド」の位置を設定する必要がなくなる。
この位置を記憶すると、表示画面１において、刺繍範囲設定画面（編集／縫製ともに共通画面）を表示する時は、記憶したウインド位置で刺繍範囲設定画面が表示される。
従って、刺繍縫いミシン本体に内蔵されたＲＡＭの一部が「オフセット」キー１３を押すと刺繍範囲設定画面を記憶する縫製可能範囲枠位置記憶手段となっている。
【００２９】
次に、図２０から図３６のフローチャートに従って「つなぎ模様」の編集から縫製までの具体的な処理例について説明する。
先ず、図２０及び図２１は「つなぎ刺繍の編集」の際のゼネラルフローを示したフローチャートであり、ステップＳ１で、刺繍縫いミシンの「電源ＯＮ」操作すると、続くステップＳ２で、表示部に「イニシャル画面」が表示される。この「イニシャル画面」としては、表示画面１に窓位置（Ｘ1，Ｙ1）での編集画面が表示されるよう設定されている（図２参照）。
そして、次のステップＳ３で、「組合せ／つなぎモード選択画面」が表示される。この「組合せ／つなぎモード選択画面」で、表示部に「つなぎ組み合せ」キー４が表示される（図２参照）。
このような「組合せ／つなぎモード選択画面」の表示に先立って、図２２に示した処理が行われる。
【００３０】
即ち、図２２は図２０のゼネラルフローにおける▲１▼の処理を示したフローチャートであり、先ず、ステップＳ２１で、刺繍縫いミシンの「ファンクションキーの「ししゅうキー」０Ｎ」操作することにより、続くステップＳ２２で、刺繍モードであることの「確認メッセージ」が表示される。
そして、続くステップＳ２３で、クリアキーのＯＮ／０ＦＦ操作に基づく「クリアするか否か」が判断され、「クリアしない」と判断すると、続くステップＳ２４で、「元の画面に戻る」処理が行われ、また、「クリアする」と判断すると、ステップＳ２５で、「データのオールクリア」処理を行った後、図２０のゼネラルフローのステップＳ３に進む。
このような図２２の処理、即ち、図２０のゼネラルフローにおける▲１▼の処理は、どのような画面でも有効である。
【００３１】
次に、図２０の処理の説明に戻る。
前記「組合せ／つなぎモード選択画面」表示処理（ステップＳ３）に続いて、ステップＳ４では、「模様選択」処理が行われる。
即ち、図１８に示したように、内部メモリや外部メモリ（メモリカード）から読み出した多数の「模様」キー２１，２２，２３，２４，２５，２６，２７，２８，２９から選択して、「色確認」キー３１、「色がえ」キー３２を必要に応じ選択した後、「選択おわり」キー３３を押して選択終了処理に基づいて、「模様選択」処理を行う。
続くステップＳ５では、「基準位置の読出」処理が行われる。
即ち、表示部への前記「イニシャル画面」表示処理（ステップＳ２）を行い、具体的には、表示画面１に窓位置（Ｘ1，Ｙ1）での編集画面（図２参照）を表示する。
【００３２】
続いて、ステップＳ６において、「つなぎ刺繍範囲設定（編集）」処理が行われる。
即ち、図２に示した編集用の表示状態において、「編集」キー２を押す。この「編集」キー２を押した後、図２３から図２９のフローチャートに基づく一連のサブルーチン処理が行われる。
図２３は図２０のゼネラルフローにおける前記「つなぎ刺繍範囲設定（編集）」（ステップＳ６）のサブルーチン処理を示したフローチャートであり、先ず、ステップＳ６１で、図２に示したように、編集用の「刺繍範囲設定画面」表示処理が行われた後、続くステップＳ６２で、「窓移動」キー８の「アローキー８ｕ，８ｄ，８ｌ，８ｒが押されたか否か」が判断される。
このステップＳ６２において、「アローキー８ｕ，８ｄ，８ｌ，８ｒが押されていない」と判断されると、次のステップＳ６３で、「「オフセット」キー１３が押されたか否か」が判断され、また、「アローキー８ｕ，８ｄ，８ｌ，８ｒが押された」と判断されると、図２４の処理に進む。
【００３３】
図２４の処理では、「アローキー８ｕ，８ｄ，８ｌ，８ｒが押された」ことに基づいて、先ず、ステップＳ７１で、その押された「矢印方向に表示単位の「窓（ウインド）：表示画面１」を１格子分移動」する（図３、図４、図５、図６、図７参照）。そして、続くステップＳ７２で、図３、図４、図５、図６、図７に示したように、「新しい刺繍範囲の模様を表示する」処理を順次行う。続いて、ステップＳ７３で、「窓位置表示を変更する」処理を行い、即ち、この時、原点（Ｘ0，Ｙ0）に対する基準点座標（Ｘ1，Ｙ1）、（Ｘ2，Ｙ1）、（Ｘ1，Ｙ2）、（Ｘ1，Ｙ3）、（Ｘ1，Ｙ4）等をＲＡＭに記憶した後、図２３のフローの前記ステップＳ６２の処理に戻る。
【００３４】
図２３の処理に戻り、前記ステップＳ６３において、「「オフセット」キー１３が押されていない」と判断されると、次のステップＳ６４で、「「オールクリア」キー７が押されたか否か」が判断され、また、「「オフセット」キー１３が押された」と判断されると、図２５の処理に進む。
図２５の処理では、ステップＳ７４で、「現在の「窓位置」を記憶する」処理を行い、即ち、「「オフセット」キー１３が押された」ことに基づいて、基準点座標（Ｘ1，Ｙ1）、（Ｘ2，Ｙ1）、（Ｘ1，Ｙ2）、（Ｘ1，Ｙ3）、（Ｘ1，Ｙ4）等をＲＡＭの一部による縫製可能範囲枠位置記憶手段に記憶する。その後、図２３のフローの前記ステップＳ６２の処理に戻る。
従って、編集時において、今後、表示画面１の表示を行う時は、その記憶された「窓位置」による表示が行われる。
【００３５】
図２３の前記ステップＳ６４において、「「オールクリア」キー７が押されていない」と判断されると、次のステップＳ６５で、「「戻る」キー５が押されたか否か」が判断され、また、「「オールクリア」キー７が押された」と判断されると、図２６の処理に進む。
図２６の処理では、「「オールクリア」キー７が押された」ことに基づいて、先ず、ステップＳ７５で、「配置されている模様を全て消す」のメッセージ表示処理を行い、続くステップＳ７６で、図示しない実行キーの０Ｎ／０ＦＦ操作に基づく「実行するか否か」が判断される。
このステップＳ７６において、実行キーの０Ｎ操作に基づき「実行する」と判断されると、続くステップＳ７７で、「模様を全て消去して模様選択メニューに戻る」処理が行われ（図１８参照）、また、実行キーの０ＦＦ状態に基づき「実行しない」と判断されると、図２３のフローの前記ステップＳ６２の処理に戻る。
【００３６】
図２３の前記ステップＳ６５において、「「戻る」キー５が押されていない」と判断されると、次のステップＳ６６で、「「つなぎ組み合せ」キー４が押されたか否か」が判断され、また、「「戻る」キー５が押された」と判断されると、図２７の処理に進む。
図２７の処理では、「「戻る」キー５が押された」ことに基づいて、ステップＳ７８で、「模様選択画面に戻る」処理が行われる（図１８参照）。
【００３７】
図２３の前記ステップＳ６６において、「「つなぎ組み合せ」キー４が押されていない」と判断されると、次のステップＳ６７で、「「つなぎおわり」キー６が押されたか否か」が判断され、また、「「つなぎ組み合せ」キー４が押された」と判断されると、図２８の処理に進む。
図２８の処理では、「「つなぎ組み合せ」キー４が押された」ことに基づいて、ステップＳ７９で、「模様種選択メニューに戻る」処理が行われる（図１８参照）。
【００３８】
図２３の前記ステップＳ６７において、「「つなぎおわり」キー６が押されていない」と判断されると、前記ステップＳ６２に戻り、また、「「つなぎおわり」キー６が押された」と判断されると、図２９の処理に進む。
図２９の処理では、「「つなぎおわり」キー６が押された」ことに基づいて、ステップＳ８０で、「つなぎ刺繍範囲設定（縫製）」処理に移行する。
【００３９】
次に、図２０の処理の説明に戻る。
以上の前記「つなぎ刺繍範囲設定（編集）」処理（ステップＳ６）に続いて、ステップＳ７で、「模様編集（位置・回転・ミラー）」処理が行われる。
即ち、ステップＳ７においては、図２の表示状態で「編集」キー２を押して図１６の表示に切り替えて、「位置／回転」キー４１、「サイズ／文字間」キー４２、「ズーム」キー４３、「もよう指定」キー４４、「消去」キー４５、「ぬいはんい」キー４６を必要に応じ押して、編集を行う。
例えば、「位置／回転」キー４１を選択すると、図１７の表示に切り替わって、「位置」キー５１（アローキー５１ｕ，５１ｄ，５１ｌ，５１ｒ，５１ｕｌ，５１ｕｒ，５１ｄｌ，５１ｄｒ及び中心キー５１ｃ）、「回転方向」キー５２（左回転キー５２ｌ及び右回転キー５２ｒ）、「回転角度」キー５３（５度ずつ回転キー５３ａ及び９０度ずつ回転キー５３ｂ）を必要に応じ操作する。
そして、位置や回転角度が確定したら、「変更おわり」キー５５を押して、元の画面（図１６参照）に戻す。
こうして、所望する編集を完了すると、「編集おわり」キー４７を押して、図２の表示に戻す。
【００４０】
以上のようにして編集を終えると、次のステップＳ８で、「「つなぎ組み合せ」キー４が押されたか否か」が判断され、「「つなぎ組み合せ」キー４が押されていない」と判断されると、次のステップＳ９で、「「つなぎおわり」キー６が押されたか否か」が判断され、また、「「つなぎ組み合せ」キー４が押された」と判断されると、前記ステップＳ４に戻る。
そして、ステップＳ９において、「「つなぎおわり」キー６が押されていない」と判断されると、前記ステップＳ８に戻り、また、「「つなぎおわり」キー６が押された」と判断されると、図２１の処理に進む。
【００４１】
即ち、図２１に示すように、先ず、ステップＳ１１において、「つなぎ刺繍範囲設定（縫製）」処理が行われる（図１９参照）。
この「つなぎ刺繍範囲設定（縫製）」（ステップＳ１１）では、図３０から図３６のフローチャートに基づく一連のサブルーチン処理が行われる。
図３０及び図３１は図２１のゼネラルフローにおける前記「つなぎ刺繍範囲設定（縫製）」（ステップＳ１１）のサブルーチン処理を示したフローチャートであり、先ず、ステップＳ１１１で、図１９に示したように、縫製用の「刺繍範囲設定画面」表示処理が行われた後、続くステップＳ１１２で、「窓移動」キー８の「アローキー８ｕ，８ｄ，８ｌ，８ｒが押されたか否か」が判断される。
このステップＳ１１２において、「アローキー８ｕ，８ｄ，８ｌ，８ｒが押されていない」と判断されると、次のステップＳ１１３で、「「オフセット」キー１３が押されたか否か」が判断され、また、「アローキー８ｕ，８ｄ，８ｌ，８ｒが押された」と判断されると、図３２の処理に進む。
【００４２】
図３２の処理では、「アローキー８ｕ，８ｄ，８ｌ，８ｒが押された」ことに基づいて、先ず、ステップＳ１３１で、その押された「矢印方向に表示単位の「窓（ウインド）：表示画面１」を１格子分移動」する（図３、図４、図５、図６、図７参照）。そして、続くステップＳ１３２で、図３、図４、図５、図６、図７に示したように、「新しい刺繍範囲の模様を表示する」処理を順次行う。続いて、ステップＳ１３３で、「「窓位置表示」の位置を変更する」処理を行い、即ち、この時、原点（Ｘ0，Ｙ0）に対する基準点座標（Ｘ1，Ｙ1）、（Ｘ2,Y1）、（Ｘ1，Ｙ2）、（Ｘ1，Ｙ3）、（Ｘ1，Ｙ4）等をＲＡＭに記憶した後、図３０のフローの前記ステップＳ１１２の処理に戻る。
【００４３】
図３０の処理に戻り、前記ステップＳ１１３において、「「オフセット」キー１３が押されていない」と判断されると、次のステップＳ１１４で、「「編集」キー２が押されたか否か」が判断され、また、「「オフセット」キー１３が押された」と判断されると、図３３の処理に進む。
図３３の処理では、ステップＳ１３４で、「現在の「窓位置」を記憶する」処理を行い、即ち、「「オフセット」キー１３が押された」ことに基づいて、基準点座標（Ｘ1，Ｙ1）、（Ｘ2，Ｙ1）、（Ｘ1，Ｙ2）、（Ｘ1，Ｙ3）、（Ｘ1，Ｙ4）等をＲＡＭの一部による縫製可能範囲枠位置記憶手段に記憶する。その後、図３０のフローの前記ステップＳ１１２の処理に戻る。
従って、縫製時においても、前述した編集時と同様、今後、表示画面１の表示を行う時は、その記憶された「窓位置」による表示が行われる。
【００４４】
図３０の前記ステップＳ１１４において、「「編集」キー２が押されていない」と判断されると、次のステップＳ１１５で、「「つなぎおわり」キー６が押されたか否か」が判断され、また、「「編集」キー２が押された」と判断されると、図３４の処理に進む。
図３４の処理では、「「編集」キー２が押された」ことに基づいて、ステップＳ１３５で、「編集のつなぎ刺繍範囲設定表示」処理が行われる。
【００４５】
図３０の前記ステップＳ１１５において、「「つなぎおわり」キー６が押されていない」と判断されると、前記ステップＳ１１２に戻り、また、「「つなぎおわり」キー６が押された」と判断されると、次のステップＳ１１６で、「枠サイズによる縫製範囲設定」処理が行われる（図１４参照）。
即ち、図１４に示したように、「枠移動」キー６１のアローキー６１ｕ，６１ｄ，６１ｌ，６１ｒ，６１ｕｌ，６１ｕｒ，６１ｄｌ，６１ｄｒを操作して「刺繍枠」表示１１による縫製範囲の設定を行う。
【００４６】
そして、次のステップＳ１１７で、「アローキー６１ｕ，６１ｄ，６１ｌ，６１ｒ，６１ｕｌ，６１ｕｒ，６１ｄｌ，６１ｄｒが押されたか否か」が判断され、「何れのアローキーも押されていない」と判断されると、次のステップＳ１１８で、「「もよう指定」キー４４が押されたか否か」が判断され、また、「アローキー６１ｕ，６１ｄ，６１ｌ，６１ｒ，６１ｕｌ，６１ｕｒ，６１ｄｌ，６１ｄｒが押された」と判断されると、図３５の処理に進む。
図３５の処理では、「アローキー６１ｕ，６１ｄ，６１ｌ，６１ｒ，６１ｕｌ，６１ｕｒ，６１ｄｌ，６１ｄｒが押された」ことに基づいて、先ず、ステップＳ１３６で、「矢印方向に枠１１を移動する」処理が行われ（図８、図９、図１１、図１２、図１３参照）、続いてステップＳ１３７で、「枠１１内に入っている模様をフルトーン表示する」処理が行われた後、図３０のフローの前記ステップＳ１１２の処理に戻る。
【００４７】
図３０の前記ステップＳ１１８において、「「もよう指定」キー４４が押されていない」が判断されると、図３１の処理に進み、また、「「もよう指定」キー４４が押された」と判断されると、図３６の処理に進む。
図３６の処理では、先ず、ステップＳ１４１で、「指定された模様がフルトーン表示」処理され、続くステップＳ１４２で、「「戻る」キー５が押されたか否か」が判断される。
このステップ１４２において、「「戻る」キー５が押されていない」と判断されると、次のステップＳ１４３で、「「指定おわり」キー６２が押されたか否か」が判断され、また、「「戻る」キー５が押された」と判断されると、図３０のフローの前記ステップＳ１１２の処理に戻る。
【００４８】
そして、ステップＳ１４３において、「「指定おわり」キー６２が押されていない」と判断されると、次のステップＳ１４４で、「「もよう指定」キー４４が押されたか否か」が判断され、また、「「指定おわり」キー６２が押された」と判断されると、図３１のフローのステップＳ１２３に進む。
さらに、ステップＳ１４４において、再び「「もよう指定」キー４４が押されたか否か」が判断され、「「もよう指定」キー４４が押された」と判断されると、次のステップＳ１４５に進み、また、「「もよう指定」キー４４が押されていない」が判断されると、そのまま前記ステップＳ１４１に戻る。
ステップＳ１４５では、「「もよう指定」キー４４が押された」ことに基づいて、「ターゲット模様を次の模様に指定する」処理が行われた後、前記ステップＳ１４１に戻る。
【００４９】
また、図３１の処理では、先ず、ステップＳ１２１で、「「戻る」キー５が押されたか否か」が判断され、「戻る」キー５が押されていない」と判断されると、次のステップＳ１２２で、「「指定おわり」キー６３が押されたか否か」が判断され、また、「「戻る」キー５が押された」と判断されると、図３０のフローの前記ステップＳ１１２の処理に戻る。
そして、ステップＳ１２２において、「「指定おわり」キー６３が押されていない」と判断されると、図３０のフローの前記ステップＳ１１７の処理に戻り、また、「「指定おわり」キー６３が押された」と判断されると、次のステップＳ１２３で、「枠と基準線の位置表示、メッセージ」処理を行う。
即ち、このステップＳ１２３において、図８、図９、図１１、図１２、図１３に示したように、「枠１１と基準線の位置の表示と「枠を動かしてぬうもようを指定します。」表示６２」処理が行われる。
【００５０】
ここで、前述したように、実際の縫製に先だって、刺繍を行う布に、直交する基準線を縦横に複数書き込んでおき、そのうち縦線の２点の横線の２点を、表示画面１上でのタッチキー操作と位置記憶キー操作により記憶させておくことで、縫う位置を決定しておく。
【００５１】
次に、図２１の処理の説明に戻る。
前述した前記「つなぎ刺繍範囲設定（縫製）」処理（ステップＳ１１）に続いて、次のステップＳ１２で、「枠サイズによる縫製範囲設定」処理が行われる（図８、図９、図１１、図１２、図１３参照）。
即ち、ステップＳ１２においては、図８、図９、図１１、図１２、図１３に示したように、「枠移動」キー６１のアローキー６１ｕ，６１ｄ，６１ｌ，６１ｒ，６１ｕｌ，６１ｕｒ，６１ｄｌ，６１ｄｒを操作して「刺繍枠」表示１１による縫製範囲の設定を行う。
そして、次のステップＳ１３で、刺繍縫いミシンの編集手段により編集された「つなぎ刺繍」に対応した縫製手段による縫製を行う。
【００５２】
続いて、ステップＳ１４で、大型の「刺繍枠」表示１１の４倍の表示画面１内の「つなぎ刺繍」に対応した「縫製を全て終えたか否か」が判断され、「縫製を全て終えていない」と判断されると、前記ステップＳ１２に戻り、また、「縫製を全て終えた」と判断されると、続くステップＳ１５で、「全て縫い終わったメッセージ表示」処理が行われる。
即ち、図１０に示したように、「すべてのもようをぬいおわりました。」表示７１と「メニューに戻ります。」表示７２による「メッセージ」表示処理が行われる。
【００５３】
そして、次のステップＳ１６で、「もう一度ぬう」キー７３の０Ｎ／０ＦＦ操作に基づく「全つなぎ刺繍範囲完了か否か」が判断され、「全つなぎ刺繍範囲完了ではない」と判断されると、前記ステップＳ１１に戻り、また、「全つなぎ刺繍範囲完了した」と判断されると、続くステップＳ１７で、「「ＯＫ」キー７４が押されたか否か」が判断される。
このステップＳ１７において、「「ＯＫ」キー７４が押されていない」と判断されると、前記ステップＳ１５に戻り、また、「「ＯＫ」キー７４が押された」と判断されると、前記ステップＳ５に戻る。
以上によって、「つなぎ刺繍」の拡張機能による編集からその拡張された編集内容に基づく継続機能による縫製までの全ての処理が終了する。
【００５４】
以上の通り、刺繍する布に基準線を引いておいて、その基準線を記憶させることにより「つなぎ刺繍」が可能であり、特に、等間隔に基準線を引いておき、その基準線に位置情報を持たせて、その位置情報に基づいてＣＰＵで制御することによって、家庭用の刺繍縫いミシンでは従来できなかった大きな模様、即ち、エンドレス模様のつなぎ刺繍が可能となった。
【００５５】
なお、以上の実施の形態例においては、表示単位を刺繍枠の４倍の編集エリアとしたが、本発明はこれに限定されるものではなく、刺繍枠の４倍を越えるより大きな編集エリアであってもよい。また、実施の形態例では、基準点を１点としたが、複数の基準点としても良く、さらに、基準線の数は何本でも良い。その他、具体的な表示の仕方や処理の仕方等についても、必要に応じて適宜に変更可能であることは勿論である。
【００５６】
【発明の効果】
以上のように、請求項１記載の発明に係る刺繍縫いミシンによれば、窓移動キー及び位置キーによる拡張機能を具備した編集手段によって、刺繍枠より大きい範囲で刺繍模様を表示する表示部より大きい範囲での拡張されたつなぎ刺繍をその部分的表示を行いながら編集することができ、さらに、窓移動キー及び枠移動キーによる継続機能を具備した縫製手段によって、表示部より大きい範囲で拡張して編集されたつなぎ刺繍を継続して縫製することができる。従って、家庭用の刺繍縫いミシンでありながらエンドレスのつなぎ刺繍を縫製することができる。
【００５７】
そして、請求項２記載の発明に係る刺繍縫いミシンによれば、請求項１記載の発明により得られる効果に加えて、編集並びに縫製の際において、縫製可能範囲枠位置記憶手段に記憶した移動位置に読み出してその縫製可能範囲枠を表示部に表示することができるといった利点が得られる。
【図面の簡単な説明】
【図１】本発明を適用した一例としての複数の模様を組み合わせて大きな模様を作ったつなぎ刺繍の編集例を格子状に表した座標系とともに示す平面図である。
【図２】表示部の「つなぎ刺繍範囲設定（編集）」前における窓位置（Ｘ1，Ｙ1）に基づく表示例を示した正面図である。
【図３】図２と同じ窓位置（Ｘ1，Ｙ1）での模様の表示例を示した正面図である。
【図４】窓位置（Ｘ2，Ｙ1）での模様の表示例を示した正面図である。
【図５】窓位置（Ｘ1，Ｙ2）での模様の表示例を示した正面図である。
【図６】窓位置（Ｘ1，Ｙ3）での模様の表示例を示した正面図である。
【図７】窓位置（Ｘ1，Ｙ4）での模様の表示例を示した正面図である。
【図８】「刺繍枠による縫い範囲」の設定の仕方を示すもので、枠と基準線の位置表示例を示した正面図である。
【図９】図８とは異なる枠と基準線の位置表示例を示した正面図である。
【図１０】全て縫い終わったメッセージ表示例を示した正面図である。
【図１１】枠サイズによる縫製範囲設定の表示例を示した正面図である。
【図１２】図１１とは異なる縫製範囲設定の表示例を示した正面図である。
【図１３】図１１及び図１２とは異なる縫製範囲設定の表示例を示した正面図である。
【図１４】枠サイズによる縫製範囲設定前の表示例を示した正面図である。
【図１５】縫製中の表示例を示した正面図である。
【図１６】模様編集前の「位置、回転、ミラー」の表示例を示した正面図である。
【図１７】図１６の「位置／回転」の選択による表示例を示した正面図である。
【図１８】模様選択の際の表示例を示した正面図である。
【図１９】「つなぎ刺繍範囲設定（縫製）」前における窓位置（Ｘ1，Ｙ1）に基づく表示例を示した正面図である。
【図２０】「つなぎ刺繍の編集」の際のゼネラルフローを示したフローチャートである。
【図２１】図２０のゼネラルフローに▲３▼の処理として続いて▲２▼の処理として戻る「つなぎ刺繍の縫製」の際のゼネラルフローを示したフローチャートである。
【図２２】図２０のゼネラルフローにおける▲１▼の処理を示したフローチャートである。
【図２３】図２０のゼネラルフローにおける「つなぎ刺繍範囲設定（編集）」（ステップＳ６）のサブルーチン処理を示したフローチャートである。
【図２４】図２３のフローにおける▲３▼の処理を示したフローチャートである。
【図２５】図２３のフローにおける▲４▼の処理を示したフローチャートである。
【図２６】図２３のフローにおける▲５▼の処理を示したフローチャートである。
【図２７】図２３のフローにおける▲６▼の処理を示したフローチャートである。
【図２８】図２３のフローにおける▲７▼の処理を示したフローチャートである。
【図２９】図２３のフローにおける▲８▼の処理を示したフローチャートである。
【図３０】図２１のゼネラルフローにおける「つなぎ刺繍範囲設定（縫製）」（ステップＳ１１）のサブルーチン処理を示したフローチャートである。
【図３１】図３０のフローに▲９▼の処理として続く処理を示したフローチャートである。
【図３２】図３０のフローにおける▲２▼の処理を示したフローチャートである。
【図３３】図３０のフローにおける▲３▼の処理を示したフローチャートである。
【図３４】図３０のフローにおける▲４▼の処理を示したフローチャートである。
【図３５】図３０のフローにおける▲７▼の処理を示したフローチャートである。
【図３６】図３０のフローにおける▲８▼の処理を示したフローチャートである。
【図３７】本発明が適用される刺繍縫いミシンの一例を示した概略斜視図である。
【符号の説明】
１  表示画面
２  「編集」キー
３  「確認」キー
４  「つなぎ組み合せ」キー
５  「戻る」キー
６  「つなぎおわり」キー
７  「オールクリア」キー
８  「窓移動」キー
９  「窓位置」表示
１１  「刺繍枠」表示
１２  「大型枠サイズです。」表示
１３  「オフセット」キー
２１，２２，２３，２４，２５，２６，２７，２８，２９  「模様」キー
３１  「色確認」キー
３２  「色がえ」キー
３３  「選択おわり」キー
４１  「位置／回転」キー
４２  「サイズ／文字間」キー
４３  「ズーム」キー
４４  「もよう指定」キー
４５  「消去」キー
４６  「ぬいはんい」キー
４７  「編集おわり」キー
５１  「位置」キー
５２  「回転方向」キー
５３  「回転角度」キー
５４  「回転角度」表示
６１  「枠移動」キー
６２  「刺繍枠を動かしてぬうもようをしていします。」表示
６３  「指定おわり」キー
７１  「すべてのもようをぬいおわりました。」表示
７２  「メニューに戻ります。」表示
７３  「もう一度ぬう」キー
７４  「ＯＫ」キー
８１  「ぬい時間」表示
８２  「のこり時間」表示
８３  「たて×よこ」表示
８４  「刺しゅう枠サイズ」表示
８５  「ぬい指定」キー
８６  「ヘルプ」キー
１００  刺繍縫いミシン
１０１  ミシンベッド
１０２  ミシン胴部
１０３  ミシンアーム
１０４  起動スイッチ
１０５  ディスプレイ
１０６  補助ベッド
１０７  キャリッジ
１０８  刺繍枠
【図１】
0003999857.tif 000002
【図２】
0003999857.tif 000003
【図３】
0003999857.tif 000004
【図４】
0003999857.tif 000005
【図５】
0003999857.tif 000006
【図６】
0003999857.tif 000007
【図７】
0003999857.tif 000008
【図８】
0003999857.tif 000009
【図９】
0003999857.tif 000010
【図１０】
0003999857.tif 000011
【図１１】
0003999857.tif 000012
【図１２】
0003999857.tif 000013
【図１３】
0003999857.tif 000014
【図１４】
0003999857.tif 000015
【図１５】
0003999857.tif 000016
【図１６】
0003999857.tif 000017
【図１７】
0003999857.tif 000018
【図１８】
0003999857.tif 000019
【図１９】
0003999857.tif 000020
【図２０】
0003999857.tif 000021
【図２１】
0003999857.tif 000022
【図２２】
0003999857.tif 000023
【図２３】
0003999857.tif 000024
【図２４】
0003999857.tif 000025
【図２５】
0003999857.tif 000026
【図２６】
0003999857.tif 000027
【図２７】
0003999857.tif 000028
【図２８】
0003999857.tif 000029
【図２９】
0003999857.tif 000030
【図３０】
0003999857.tif 000031
【図３１】
0003999857.tif 000032
【図３２】
0003999857.tif 000033
【図３３】
0003999857.tif 000034
【図３４】
0003999857.tif 000035
【図３５】
0003999857.tif 000036
【図３６】
0003999857.tif 000037
【図３７】
0003999857.tif 000038